(57)【特許請求の範囲】
【請求項１】
表示画面全体に１つの正規画像を表示する１画面表示モードと、前記表示画面をＮ個（Ｎは２以上の自然数である）に分割し、正規画像の画素を間引いて得られた縮小画像を各分割画面に表示する複数画面表示モードとを有する画像再生装置であって、
それぞれが第１〜第Ｎの縮小画像および各縮小画像に対応する正規画像を含む複数の画像グループが前記１画面表示モードおよび前記複数画面表示モードの指示前に格納された記憶手段、
前記複数画面表示モードが指示されたことに応じて、前記記憶手段からある画像グループの第１〜第Ｎの縮小画像を取出して前記第１〜第Ｎの分割画面にそれぞれ表示させる複数画像読出手段、
前記複数画像読出手段を制御して前記ある画像グループの次／前の画像グループの第１〜第Ｎの縮小画像を取出させ、前記第１〜第Ｎの分割画面の縮小画像を一度に送り／戻すための複数画像送り／戻し手段、
前記第１〜第Ｎの分割画面に表示された第１〜第Ｎの縮小画像から所望の縮小画像を選択するための画像選択手段、および
前記画像選択手段によって選択された縮小画像に対応する正規画像を前記記憶手段から取出して前記表示画面全体に表示させる単一画像読出手段を備え、
前記画像選択手段は、
前記複数画像読出手段および前記複数画像送り／戻し手段によって前記第１〜第Ｎの分割画面に表示された所望の第１〜第Ｎの縮小画像を選択することを決定する決定手段、
前記決定手段によって所望の第１〜第Ｎの縮小画像の選択が決定されたことに応じて、前記第１〜第Ｎの分割画面のうちの中央部の分割画面に縮小画像と共に選択マークを表示するマーク表示手段、および
前記選択マークを所望の縮小画像が表示された分割画面に移動させ、前記選択マークと共に表示された縮小画像を選択することを決定するボタンを含む、画像再生装置。
【請求項２】
表示画面全体に１つの正規画像を表示する１画面表示モードと、前記表示画面をＮ個（Ｎは２以上の自然数である）に分割し、正規画像の画素を間引いて得られた縮小画像を各分割画面に表示する複数画面表示モードとを有する画像再生装置であって、
画像を撮影する撮影手段、
画像を記憶する記憶手段、
前記撮影手段によって撮影された画像およびその縮小画像を前記記憶手段に書込み、それぞれが第１〜第Ｎの縮小画像および各縮小画像に対応する正規画像を含む複数の画像グループを構成する画像書込手段、
前記複数画面表示モードが指示されたことに応じて、前記記憶手段からある画像グループの第１〜第Ｎの縮小画像を取出して前記第１〜第Ｎの分割画面にそれぞれ表示させる複数画像読出手段、
前記複数画像読出手段を制御して前記ある画像グループの次／前の画像グループの第１〜第Ｎの縮小画像を取出させ、前記第１〜第Ｎの分割画面の縮小画像を一度に送り／戻すための複数画像送り／戻し手段、
前記第１〜第Ｎの分割画面に表示された第１〜第Ｎの縮小画像から所望の縮小画像を選択するための画像選択手段、および
前記画像選択手段によって選択された縮小画像に対応する正規画像を前記記憶手段から取出して前記表示画面全体に表示させる単一画像読出手段を備え、
前記画像選択手段は、
前記複数画像読出手段および前記複数画像送り／戻し手段によって前記第１〜第Ｎの分割画面に表示された所望の第１〜第Ｎの縮小画像を選択することを決定する決定手段、
前記決定手段によって所望の第１〜第Ｎの縮小画像の選択が決定されたことに応じて、前記第１〜第Ｎの分割画面のうちの中央部の分割画面に縮小画像と共に選択マークを表示するマーク表示手段、および
前記選択マークを所望の縮小画像が表示された分割画面に移動させ、前記選択マークと共に表示された縮小画像を選択することを決定するボタンを含む、画像再生装置。
【発明の詳細な説明】
【０００１】
【発明の属する技術分野】
この発明は画像再生装置に関し、特に、表示画面を複数に分割し、複数の分割画面の各々に画像を表示する複数画面表示モードを有する画像再生装置に関する。
【０００２】
【従来の技術】
従来より、デジタルスチルカメラには、内蔵の画像メモリに記録した複数の画像から所望の画像を検索するための複数（たとえば９）画面マルチ再生モードが設けられている。
【０００３】
この９画面マルチ再生モードでは、図６（ａ）に示すように、スチルカメラのモニタ用液晶画面５０が３行３列の９画面に分割され、画像メモリから読出された９個の縮小画像Ｐ１′〜Ｐ９′（同図では画像内容が文字Ａ〜Ｉで表わされている）が９個の分割画面にそれぞれ表示される。縮小画像Ｐ１′Ｐ９′の各々の右下部には画像番号１〜９がそれぞれ表示され、縮小画像Ｐ１′〜Ｐ９′のうちのいずれかの縮小画像（同図ではＰ１′）に選択マークＭが表示される。
【０００４】
図示しない画面送り／戻しボタンを操作することにより、選択マークＭを１分割画面ずつ移動させることが可能となっている。たとえば、図６（ａ）の状態から画面送り／戻しボタンを送り側に２回押せば選択マークＭは縮小画像Ｐ３′内に移動し、さらに１回押せば選択マークＭは２行目の縮小画像Ｐ４′内に移動する。元の状態から画面送り／戻しボタンを送り側に９回押すと、図６（ｂ）に示すように、縮小画像Ｐ１′〜Ｐ９′が消えて別のグループの縮小画像Ｐ１０′〜Ｐ１８′（同図では画像内容が文字Ｊ〜Ｒで表わされている）が表示され、選択マークＭは１行１列目の縮小画像Ｐ１０′内に表示される。
【０００５】
所望の縮小画像（たとえばＰ１４′）に選択マークＭを位置させて図示しないセットボタンを押せば、その縮小画像Ｐ１４′が液晶画面１０全体に拡大されて表示される。なお、選択マークＭや画像番号は手動によりまたは自動的に画面５０から消去される。
【０００６】
【発明が解決しようとする課題】
しかし、従来のスチルカメラの９画面マルチ再生モードでは、液晶画面５０に表示された９個の縮小画像Ｐ１′〜Ｐ９′を次のグループの縮小画像Ｐ１０′〜Ｐ１８′で置換するためには、画面送り／戻しボタンを９回も操作する必要があり、画像の検索に長時間を要していた。
【０００７】
それゆえに、この発明の主たる目的は、画像の検索および選択を容易かつ迅速に行なうことが可能な画像再生装置を提供することである。
【０００８】
【課題を解決するための手段】
この発明に係る画像再生装置は、表示画面全体に１つの正規画像を表示する１画面表示モードと、表示画面をＮ個（Ｎは２以上の自然数である）に分割し、正規画像の画素を間引いて得られた縮小画像を各分割画面に表示する複数画面表示モードとを有する画像再生装置であって、それぞれが第１〜第Ｎの縮小画像および各縮小画像に対応する正規画像を含む複数の画像グループが１画面表示モードおよび複数画面表示モードの指示前に格納された記憶手段、複数画面表示モードが指示されたことに応じて、記憶手段からある画像グループの第１〜第Ｎの縮小画像を取出して第１〜第Ｎの分割画面にそれぞれ表示させる複数画像読出手段、複数画像読出手段を制御してある画像グループの次／前の画像グループの第１〜第Ｎの縮小画像を取出させ、第１〜第Ｎの分割画面の縮小画像を一度に送り／戻すための複数画像送り／戻し手段、第１〜第Ｎの分割画面に表示された第１〜第Ｎの縮小画像から所望の縮小画像を選択するための画像選択手段、および画像選択手段によって選択された縮小画像に対応する正規画像を記憶手段から取出して表示画面全体に表示させる単一画像読出手段を備え、画像選択手段は、複数画像読出手段および複数画像送り／戻し手段によって第１〜第Ｎの分割画面に表示された所望の第１〜第Ｎの縮小画像を選択することを決定する決定手段、決定手段によって所望の第１〜第Ｎの縮小画像の選択が決定されたことに応じて、第１〜第Ｎの分割画面のうちの中央部の分割画面に縮小画像と共に選択マークを表示するマーク表示手段、および選択マークを所望の縮小画像が表示された分割画面に移動させ、選択マークと共に表示された縮小画像を選択することを決定するボタンを含むことを特徴としている。
【０００９】
この発明に係る他の画像再生装置は、表示画面全体に１つの正規画像を表示する１画面表示モードと、表示画面をＮ個（Ｎは２以上の自然数である）に分割し、正規画像の画素を間引いて得られた縮小画像を各分割画面に表示する複数画面表示モードとを有する画像再生装置であって、画像を撮影する撮影手段、画像を記憶する記憶手段、撮影手段によって撮影された画像およびその縮小画像を記憶手段に書込み、それぞれが第１〜第Ｎの縮小画像および各縮小画像に対応する正規画像を含む複数の画像グループを構成する画像書込手段、複数画面表示モードが指示されたことに応じて、記憶手段からある画像グループの第１〜第Ｎの縮小画像を取出して第１〜第Ｎの分割画面にそれぞれ表示させる複数画像読出手段、複数画像読出手段を制御してある画像グループの次／前の画像グループの第１〜第Ｎの縮小画像を取出させ、第１〜第Ｎの分割画面の縮小画像を一度に送り／戻すための複数画像送り／戻し手段、第１〜第Ｎの分割画面に表示された第１〜第Ｎの縮小画像から所望の縮小画像を選択するための画像選択手段、および画像選択手段によって選択された縮小画像に対応する正規画像を記憶手段から取出して表示画面全体に表示させる単一画像読出手段を備え、画像選択手段は、複数画像読出手段および複数画像送り／戻し手段によって第１〜第Ｎの分割画面に表示された所望の第１〜第Ｎの縮小画像を選択することを決定する決定手段、決定手段によって所望の第１〜第Ｎの縮小画像の選択が決定されたことに応じて、第１〜第Ｎの分割画面のうちの中央部の分割画面に縮小画像と共に選択マークを表示するマーク表示手段、および選択マークを所望の縮小画像が表示された分割画面に移動させ、選択マークと共に表示された縮小画像を選択することを決定するボタンを含むことを特徴としている。
【００１０】
【発明の実施の形態】
［実施の形態１］
図１（ａ）はこの発明の実施の形態１によるデジタルスチルカメラの外観構成を示す正面側（レンズ側）から見た斜視図、図１（ｂ）は後面側から見た斜視図である。
【００１１】
図１（ａ）（ｂ）を参照して、このスチルカメラの正面側にはレンズ１、レンズカバー２、ファインダ３、フラッシュ発光部４およびセルフタイマーランプ５が設けられ、そのグリップ部６にはモニタスイッチ７が設けられている。また、このスチルカメラの上面にはシャッタボタン８、コントロールパネル９および各種ボタン１０〜１３が設けられ、その後面側にはカメラ／再生スイッチ１４、モードボタン１５およびモニタ用液晶画面１６が設けられている。コントロールパネル９には、撮影可能枚数、電池残量などが表示される。
【００１２】
カメラ／再生スイッチ１４をカメラ側にセットすれば、通常の銀塩式カメラと同様の使用方法で撮影することができる。撮影した画像は、内蔵の画像メモリに順次格納される。カメラ／再生スイッチ１４を再生側にセットしモニタスイッチ７をオンすれば、画像メモリに格納した画像を液晶画面１６に表示させることができる。
【００１３】
モードボタン１５は、１つのボタンで４つの働きをするボタンである。図２（ａ）〜（ｄ）に示すように、モードボタン１５の四隅のモード部１５ａ、セット部１５ｂ、画面送り部１５ｃおよび画面戻し部１５ｄの各々を親指で軽く外側へ倒すように押すことにより、それぞれモードの選択、モードのセット、画面送り、および画面戻しを行なうことができる。
【００１４】
図３は、このスチルカメラに内蔵されている画像記録再生回路２０の構成を示す回路ブロック図である。
【００１５】
図３を参照して、この画像記録再生回路２０は、ＣＣＤ２１、ＣＤＳ（Ｃｏｒｒｅｌａｔｅｄ  Ｄｏｕｂｌｅ  Ｓａｍｐｌｉｎｇ）／ＡＧＣ回路２２、Ａ／Ｄコンバータ２３、信号処理回路２４、画像圧縮回路２５，２７、画素数削減回路２６および画像メモリ２８を備える。
【００１６】
ＣＣＤ２１は、レンズ３を介して入射された光をアナログ電気信号に変換する。ＣＤＳ／ＡＧＣ回路２２は、ＣＣＤ２１の出力信号をサンプリングしレベル調整してアナログ映像信号を生成する。Ａ／Ｄコンバータ２３は、ＣＤＳ／ＡＧＣ回路２２で生成されたアナログ映像信号をデジタル画像データに変換する。信号処理回路２４は、Ａ／Ｄコンバータ２３で生成された画像データに、３つの色信号であるＲ，Ｇ，Ｂ信号やＹ，Ｕ，Ｖ信号を生成するための処理を施す。
【００１７】
画像圧縮回路２５は、信号処理回路２４で処理された画像データを圧縮して画像メモリ２８に格納する。画像圧縮回路２５では、たとえばＪＰＥＧの規格に沿った画像圧縮が実行される。このＪＰＥＧ規格の画像圧縮は、８×８画素を１ブロックとしてブロック化し、このブロック単位で２次元のＤＣＴ（離散コサイン変換）、量子化および２次元のハフマン符号化の一連の処理を実行するものである。
【００１８】
画素数削減回路２６は、信号処理回路２４で生成された画像データを９画面マルチ再生用に９分の１に間引いて縮小画像データを生成する。画像圧縮回路２７は、画素数削減回路２６で生成された縮小画像データを圧縮して画像メモリ２８に格納する。
【００１９】
画像メモリ２８では、図４に示すように、９個の画像で構成される１つのグループに１つのアドレスが割当てられ、そのアドレスは、グループを識別するためのインデックス用のアドレスＡｄｄ０と、９枚の画像用のアドレスＡｄｄ１〜Ａｄｄ９とに分割される。アドレスＡｄｄ１〜Ａｄｄ９の各々は、さらに画像圧縮回路２５で生成された画像データを格納するためのアドレスＡｄｄ１ａ〜Ａｄｄ９ａと、画像圧縮回路２７で生成された縮小画像データを格納するためのアドレスＡｄｄ１ｂ〜Ａｄｄ９ｂとに分割される。換言すると、アドレスＡｄｄ１ａ〜Ａｄｄ９ａには１画面表示用の画像Ｐ１〜Ｐ９がそれぞれ格納され、アドレスＡｄｄ１ｂ〜Ａｄｄ９ｂには９画面表示用の縮小画像Ｐ１′〜Ｐ９′がそれぞれ格納される。
【００２０】
また、この画像記録再生回路２０は、画像伸長回路２９、切換スイッチ３０，３２、画配置回路３１、表示用メモリ３３、液晶画面駆動回路３４および制御回路３５を備える。画像伸長回路２９は、画像メモリ２８から読出された圧縮画像データをＪＰＥＧ規格に従って伸長し、元の画像データまたは縮小画像データに戻す。切換スイッチ３０，３２は、制御回路３５によって制御され、画像伸長回路２９からの画像データを表示用メモリ３３に直接与えるか、画像伸長回路２９からの縮小画像データを画配置回路３１を介して表示用メモリ３３に与える。
【００２１】
画配置回路３１は、画像伸長回路２９から順次送られてくる縮小画像データを表示用メモリ３３のメモリ空間に順次配置して９個の縮小画像からなる１個の画像を構成する。表示メモリ３３は、液晶画面１６に対応するメモリ空間を有し、画像伸長回路２９または画配置回路３１から与えられた１画面分の画像データを記憶する。液晶画面駆動回路３４は、表示用メモリ３３に記憶された画像データに従って液晶画面１６を駆動し、液晶画面１６に画像を表示させる。制御回路３５は、図１のカメラ／再生装置１４、モードボタン１５などからの信号に従って、画像メモリ２８、スイッチ３０，３２などを制御する。
【００２２】
図５は、制御回路３５の再生モード時の動作を示すフローチャートである。このフローチャートに従って、図１〜図４で示したスチルカメラの再生モード時の動作について説明する。
【００２３】
カメラ／再生スイッチ１４が再生側にセットされて再生モードがセットされ、モニタスイッチ７がオンされると、ステップＳ１において制御回路３５は、切換スイッチ３０，３２を制御して画像伸長回路２９と表示用メモリ３３を直接接続するとともに、画像メモリ２８からある画像データを読出し、ある画像を液晶画面１６全体に表示させる。ここで、ある画像とは、画像メモリ２８の最初のアドレスに格納されている画像でもよいし、前回に再生した画像でもよい。
【００２４】
ステップＳ２において制御回路３５は、モードボタン１５でモード選択がされたか否かを判別する。ステップＳ２でモード選択がされていない場合は、ステップＳ３でモードボタン１５によって画面送り／戻しが指示されたか否かを判別し、指示された場合はステップＳ４で１画面送りまたは戻して全画面表示し、指示されていない場合はステップＳ１に戻る。
【００２５】
ステップＳ２においてモード選択がされた場合は、ステップＳ５でマルチ選択マークを液晶画面１６に表示する。ステップＳ６で、制御回路３５は、モードボタン１５によってセット部１５ｂが押されてセットされたか否かを判別する。ステップＳ６でセットされたと判別した場合は、制御回路３５は、ステップＳ７において図３のスイッチ３０，３２を制御して画像伸長回路２９と表示メモリ３３の間に画配置回路３１を接続するとともに、画像メモリ３８からあるグループの縮小画像データを読出し、９個の縮小画像（たとえばＰ１′〜Ｐ９′）を表示画面１６に表示させる。
【００２６】
ステップＳ８において制御回路３５は、モードボタン１５によって画面送り／戻しが指示されたか否かを判別し、指示されたと判別した場合は液晶画面１６内の選択マークＭを１分割画面分だけ送りまたは戻してステップＳ１０に進み、指示されていないと判別した場合はステップＳ１０に直接進む。ステップＳ１０において制御回路３５は、モードボタン１５によってセットされたか否かを判別し、セットされていない場合はステップＳ８に戻る。ステップＳ１０でセットされた場合は、ステップＳ１１で制御回路３５は切換スイッチ３０，３２を制御して画像伸長回路２９と表示用メモリ３３を直接接続するとともに、選択マークＭの位置する縮小画像（たとえばＰ５′）に対応する画像（この場合はＰ５）を画像メモリ２８から取出して液晶画面１６に表示させる。
【００２７】
ステップＳ６においてセットされていない場合は、ステップＳ１２において制御回路３５は、モードボタン１５によって画面送り／戻しが指示されたか否かを判別し、指示されていない場合はステップＳ５に戻る。ステップＳ１２で画面送り／戻しが指示された場合は、ステップＳ１３で制御回路３５は、切換スイッチ３０，３２を制御して画像伸長回路２９と表示用メモリ３３の間に画配置回路３１を接続するとともに、画像メモリ２８からあるグループの９個の縮小画像（たとえばＰ１′〜Ｐ９′）を取出して液晶画面１６に表示させる。この時点では、液晶画面１６には選択マークＭは表示されない。
【００２８】
ステップＳ１４において制御回路３５は、モードボタン１５によって画面送り／戻しが指示されたか否かを判別し、指示された場合はそのグループよりも１つ後のグループまたは１つ先のグループ（この場合は最後のグループ）の９個の縮小画像を取出し液晶画面１６に表示させてステップＳ１６に進み、指示されていない場合はステップＳ１６に直接進む。すなわち、モードボタン１５の１回の操作により、９個の縮小画像を一度に送りまたは戻すことができる。
【００２９】
ステップＳ１６において制御回路３５は、モードボタン１５のセット部１５ｂが押されてセットされたか否かを判別し、セットされていない場合はステップＳ１４に戻り、セットされている場合はステップＳ１７で９個の分割画面のうちの中央画面に選択マークＭを表示させ、ステップＳ８に戻る。後は、モードボタン１５の操作により選択マークＭを所望の縮小画像に移動させてセットすることにより、その縮小画像を液晶画面１６全体に拡大して表示させることができる。
【００３０】
この実施の形態では、９個の縮小画像全体を送り／戻しするモード（ステップＳ１２〜Ｓ１７）を設けたので、１回のボタン操作で９個の縮小画像を送りまたは戻すことができ、９個の縮小画像を送りまたは戻すためには９回のボタン操作が必要であった従来に比べ、画像の検索を迅速に行なうができる。
【００３５】
【発明の効果】
以上のように、この発明に係る画像再生装置では、それぞれが第１〜第Ｎの縮小画像および各縮小画像に対応する正規画像を含む複数の画像グループが格納された記憶手段と、記憶手段からある画像グループの第１〜第Ｎの縮小画像を取出して第１〜第Ｎの分割画面にそれぞれ表示させる複数画像読出手段と、複数画像読出手段を制御してある画像グループの次／前の画像グループの第１〜第Ｎの縮小画像を取出させ、第１〜第Ｎの分割画面の縮小画像を一度に送り／戻すための複数画像送り／戻し手段と、第１〜第Ｎの分割画面に表示された第１〜第Ｎの縮小画像から所望の縮小画像を選択するための画像選択手段と、画像選択手段によって選択された縮小画像に対応する正規画像を記憶手段から取出して表示画面全体に表示させる単一画像読出手段とが設けられ、画像選択手段は、複数画像読出手段および複数画像送り／戻し手段によって第１〜第Ｎの分割画面に表示された所望の第１〜第Ｎの縮小画像を選択することを決定する決定手段と、決定手段によって所望の第１〜第Ｎの縮小画像の選択が決定されたことに応じて、第１〜第Ｎの分割画面のうちの中央部の分割画面に縮小画像と共に選択マークを表示するマーク表示手段と、選択マークを所望の縮小画像が表示された分割画面に移動させ、選択マークと共に表示された縮小画像を選択することを決定するボタンとを含む。したがって、第１〜第Ｎの分割画面の画像を一度に送り／戻すことができ、記憶手段に格納された画像の検索および選択を容易かつ迅速に行なうことができる。
【００３６】
また、この発明に係る他の画像再生装置では、画像を撮影する撮影手段と、画像を記憶する記憶手段と、撮影手段によって撮影された画像およびその縮小画像を記憶手段に書込み、それぞれが第１〜第Ｎの縮小画像および各縮小画像に対応する正規画像を含む複数の画像グループを構成する画像書込手段と、記憶手段からある画像グループの第１〜第Ｎの縮小画像を取出して第１〜第Ｎの分割画面にそれぞれ表示させる複数画像読出手段と、複数画像読出手段を制御してある画像グループの次／前の画像グループの第１〜第Ｎの縮小画像を取出させ、第１〜第Ｎの分割画面の縮小画像を一度に送り／戻すための複数画像送り／戻し手段と、第１〜第Ｎの分割画面に表示された第１〜第Ｎの縮小画像から所望の縮小画像を選択するための画像選択手段と、画像選択手段によって選択された縮小画像に対応する正規画像を記憶手段から取出して表示画面全体に表示させる単一画像読出手段が設けられ、画像選択手段は、複数画像読出手段および複数画像送り／戻し手段によって第１〜第Ｎの分割画面に表示された所望の第１〜第Ｎの縮小画像を選択することを決定する決定手段と、決定手段によって所望の第１〜第Ｎの縮小画像の選択が決定されたことに応じて、第１〜第Ｎの分割画面のうちの中央部の分割画面に縮小画像と共に選択マークを表示するマーク表示手段と、選択マークを所望の縮小画像が表示された分割画面に移動させ、選択マークと共に表示された縮小画像を選択することを決定するボタンとを含む。したがって、第１〜第Ｎの分割画面の画像を一度に送り／戻すことができ、記憶手段に格納された画像の検索および選択を容易かつ迅速に行なうことができる。
【図面の簡単な説明】
【図１】この発明の実施の形態１によるデジタルスチルカメラの外観構成を示す斜視図である。
【図２】図１に示したデジタルスチルカメラのモードボタンの構成および操作方法を示す図である。
【図３】図１に示したデジタルスチルカメラの画像記録再生回路の構成を示す回路ブロック図である。
【図４】図３に示した画像メモリのアドレスマップを示す図である。
【図５】図１に示したデジタルスチルカメラの再生モード時の動作を示すフローチャートである。
【図６】従来のデジタルスチルカメラの９画面マルチ再生モードの問題点を説明するための図である。
【符号の説明】
１  レンズ
８  シャッタボタン
１４  カメラ／再生スイッチ
１５  モードボタン
１６，５０  モニタ用液晶画面
２１  ＣＣＤ
２５，２７  画像圧縮回路
２６，４１  画素数削減回路
２８  画像メモリ
２９  画像伸長回路
３０，３２  切換スイッチ
３１  画配置回路
３３  表示用メモリ
３４  液晶画面駆動回路
３５  制御回路
【図１】
0003561601.tif 000002
【図２】
0003561601.tif 000003
【図３】
0003561601.tif 000004
【図４】
0003561601.tif 000005
【図５】
0003561601.tif 000006
【図６】
0003561601.tif 000007